(57)【特許請求の範囲】
【請求項１】
編針を支持する１つ以上の針床と１つ以上の、フォーク状の構造を有するストレージ要素を備える横編機の編成方法であって、前記横編機の前記針床に垂直な平面内で長手軸心が含まれる少なくとも１つの第１の編針を選択し、
前記第１の編針から第１の針床の下方に位置する第１のストレージ要素へ、形成された編目を移す第一のステップ、
を含む、横編機の編成方法において、
前記編目が前記ストレージ要素によって針床の下方に保管されることで編針が自由となるステップを含み、 
前記第１のストレージ要素から前記第１の編針へ前記編目を移す第二のステップ、もしくは、
前記第１のストレージ要素から第２の編針へ前記編目を移す第三のステップ、
または、
前記第１のストレージ要素から第２の針床の下方に位置する第２のストレージ要素へ前記編目を移す第１ステップと、前記第２のストレージ要素から、前記第１の編針へ、もしくは第２の針床によって支持された第２の編針へ、または前記第１のストレージ要素へ、前記編目を移す第２ステップとの、第１、第２ステップを組み合せた組合せステップ、
を含み、
前記ステップのいずれにおいても、前記ストレージ要素のフォーク状構造により、編み針または別のストレージ要素と前記ストレージ要素との間で目移しが可能となり、
前記フォーク状の構造を有するストレージ要素は、針床の下面に沿って前進後退することを特徴とする、横編機の編成方法。
【請求項２】
請求項１に記載の横編機の編成方法において、前記第１の編針から前記第１のストレージ要素へ前記編目を移す第一のステップが、前記第１の編針から当該第１の編針と少なくとも部分的に重なり合う第１のロッカーへ前記編目を移すステップと、前記第１のロッカーから前記第１のストレージ要素へ前記編目を移すステップとを有することを特徴とする、横編機の編成方法。
【請求項３】
請求項２に記載の横編機の編成方法において、前記第１のロッカーから前記第１のストレージ要素へ前記編目を移すステップが、前記第１のロッカーから前記第２の編針と少なくとも部分的に重なり合う第２のロッカーへ前記編目を移すステップと、前記第２のロッカーから前記第１のストレージ要素へ前記編目を移すステップとを有することを特徴とする、横編機の編成方法。
【請求項４】
請求項１に記載の横編機の編成方法において、前記第１のストレージ要素から前記第１の編針へ前記編目を移す第二のステップが、前記第１のストレージ要素から前記第１の編針と少なくとも部分的に重なり合う第１のロッカーへ前記編目を移すステップと、前記第１のロッカーから前記第１の編針へ前記編目を移すステップとを有することを特徴とする、横編機の編成方法。
【請求項５】
請求項１に記載の横編機の編成方法において、前記第１のストレージ要素から前記第２の編針へ前記編目を移す第三のステップが、前記第１のストレージ要素から前記第２の編針と少なくとも部分的に重なり合う第２のロッカーへ前記編目を移すステップと、前記第２のロッカーから前記第２の編針へ前記編目を移すステップとを有することを特徴とする、横編機の編成方法。
【請求項６】
請求項１に記載の横編機の編成方法において、前記組合せステップのうちの前記第２ステップが、前記第２のストレージ要素から前記第１の編針へ前記編目を移すステップであり、この第２ステップが、前記第２のストレージ要素から前記第１の編針と少なくとも部分的に重なり合う第１のロッカーへ前記編目を移すステップと、前記第１のロッカーから前記第１の編針へ前記編目を移すステップとを有することを特徴とする、横編機の編成方法。
【請求項７】
請求項１に記載の横編機の編成方法において、前記組合せステップのうちの前記第２ステップが、前記第２のストレージ要素から前記第２の編針へ前記編目を移すステップであり、この第２ステップが、前記第２のストレージ要素から前記第２の編針と少なくとも部分的に重なり合う第２のロッカーへ前記編目を移すステップと、前記第２のロッカーから前記第２の編針へ前記編目を移すステップとを有することを特徴とする、横編機の編成方法。
【請求項８】
横編機であって、
編針を支持する１つ以上の針床と、
当該横編機の前記針床の下方に位置し、少なくとも１つの編目を保管することができる複数のストレージ要素と、を備えており、
前記ストレージ要素は、各ストレージ要素が編針に支持された編目へ向かうことが可能であるように、各ストレージ要素が編針に編目を供給可能であるように、各ストレージ要素が別のストレージ要素に支持された編目へ向かうことが可能であるように、そして、各ストレージ要素が編目を別のストレージ要素に供給可能であるように、当該横編機の前記針床の下面に沿って運動可能である、横編機であって、
前記ストレージ要素の先端部がフォーク状の構造を有し、
編目が該ストレージ要素によって針床の下方に保管されることにより、編針が自由になるよう構成されていることを特徴とする、横編機。
【請求項９】
請求項８に記載の横編機において、各ストレージ要素が、編針と少なくとも部分的に重なり合うロッカーに支持された編目へ向かうことが可能であるように、そして、編目を編針と少なくとも部分的に重なり合うロッカーに供給可能であるように、当該横編機の前記針床に対して運動可能であることを特徴とする、横編機。
【発明の詳細な説明】
【技術分野】
【０００１】
本発明は、横編機の分野に関し、特に、１つ以上の針床を備える横編機の編成方法に関する。さらに、本発明は、１つ以上の針床と、少なくとも１つの編目を一時的に保管することができる複数のストレージ要素と、を備える横編機に関する。
【背景技術】
【０００２】
一般に、１つ以上の針床を備える横編機の編成方法には、形成された編目を特定の編針に一時的に保管する過程が含まれる。編目を保管することにより、他の編針が自由になるので、それらの編針を別の編成作業に利用することができる。この場合、編目を特定の編針に保管している間、その特定の編針については、他の編成作業を行わせることができない問題がある。
【発明の概要】
【発明が解決しようとする課題】
【０００３】
本発明にかかる編成方法の第１の目的は、１つ以上の針床を備える横編機において、各編針から編目を取り外してその編針に別の編成作業を行わせると共に、編目を取り外した編針に再び編目を戻せるようにすることである。本発明にかかる編成方法の第２の目的は、編針間に編目が存在しないようにすることである。本発明にかかる編成方法の第３の目的は、複数の針床を備える横編機の場合に、針床間の空間をフリーにすることである。本発明にかかる編成方法の第４の目的は、保管した編目の張力の減少を可能にすることである。本発明にかかる編成方法の第５の目的は、保管した編目の糸と編成中の編目の糸との混合を回避することを可能にすることである。
【課題を解決するための手段】
【０００４】
本発明において、編針（４，４’）を支持する１つ以上の針床（２，３）を備える横編機（１）の編成方法は、前記横編機の前記針床に垂直な平面内で長手軸心が含まれる少なくとも１つの第１の編針を選択し、
前記第１の編針から第１の針床の下方に位置する第１のストレージ要素（５，５’）へ、形成された編目を移す第一のステップ、を含み、さらに、
前記第１のストレージ要素から前記第１の編針へ前記編目を移す第二のステップ、もしくは、
前記第１のストレージ要素から第２の編針へ前記編目を移す第三のステップ、または、
前記第１のストレージ要素から第２の針床の下方に位置する第２のストレージ要素（５’，５）へ前記編目を移す第１ステップと、前記第２のストレージ要素から、前記第１の編針へ、もしくは第２の針床によって支持された第２の編針へ、または前記第１のストレージ要素へ、前記編目を移す第２ステップとの、第１、第２ステップを組み合せた組合せステップ、を含む。
【０００５】
本発明において、前記第１の編針から前記第１のストレージ要素へ前記編目を移す第一のステップが、前記第１の編針から当該第１の編針と少なくとも部分的に重なり合う第１のロッカーへ前記編目を移すステップと、前記第１のロッカーから前記第１のストレージ要素へ前記編目を移すステップとを有し得る。
【０００６】
本発明において、前記第１のロッカーから前記第１のストレージ要素へ前記編目を移すステップが、前記第１のロッカーから前記第２の編針と少なくとも部分的に重なり合う第２のロッカーへ前記編目を移すステップと、前記第２のロッカーから前記第１のストレージ要素へ前記編目を移すステップとを有し得る。
【０００７】
本発明において、前記第１のストレージ要素から前記第１の編針へ前記編目を移す第二のステップが、前記第１のストレージ要素から前記第１の編針と少なくとも部分的に重なり合う第１のロッカーへ前記編目を移すステップと、前記第１のロッカーから前記第１の編針へ前記編目を移すステップとを有し得る。
【０００８】
本発明において、前記第１のストレージ要素から前記第２の編針へ前記編目を移す第三のステップが、前記第１のストレージ要素から前記第２の編針と少なくとも部分的に重なり合う第２のロッカーへ前記編目を移すステップと、前記第２のロッカーから前記第２の編針へ前記編目を移すステップとを有し得る。
【０００９】
本発明において、前記組合せステップのうちの前記第２ステップが、前記第２のストレージ要素から前記第１の編針へ前記編目を移すステップであり、この第２ステップが、前記第２のストレージ要素から前記第１の編針と少なくとも部分的に重なり合う第１のロッカーへ前記編目を移すステップと、前記第１のロッカーから前記第１の編針へ前記編目を移すステップとを有し得る。
【００１０】
本発明において、前記組合せステップのうちの前記第２ステップが、前記第２のストレージ要素から前記第２の編針へ前記編目を移すステップであり、この第２ステップが、前記第２のストレージ要素から前記第２の編針と少なくとも部分的に重なり合う第２のロッカーへ前記編目を移すステップと、前記第２のロッカーから前記第２の編針へ前記編目を移すステップとを有し得る。
【００１１】
本発明にかかる横編機は、１つ以上の針床（２，３）と、当該横編機の前記針床の下方に位置し、少なくとも１つの編目を保管することができる複数のストレージ要素（５，５’）と、を備えており、前記ストレージ要素は、各ストレージ要素が編針に支持された編目へ向かうことが可能であるように、各ストレージ要素が編針に編目を供給可能であるように、各ストレージ要素が別のストレージ要素に支持された編目へ向かうことが可能であるように、そして、各ストレージ要素が編目を別のストレージ要素に供給可能であるように、当該横編機の前記針床に対して運動可能である。
【００１２】
本発明において、各ストレージ要素が、編針と少なくとも部分的に重なり合うロッカーに支持された編目へ向かうことが可能であるように、そして、編目を編針と少なくとも部分的に重なり合うロッカーに供給可能であるように、当該横編機の前記針床に対して運動可能であり得る。
【００１３】
本発明のさらなる特徴および利点は、添付の図面を参照しながら行う、以下の説明から明らかになる。
【図面の簡単な説明】
【００１４】
【図１】本発明にかかる横編機であって、２つの針床を備える場合の横編機の部分側面図である。
【図２】本発明にかかる編成方法を実行する際に使用されるストレージ要素の部分詳細斜視図である。
【図３】（Ａ）〜（Ｅ）は、第１タイプの編針を支持する針床を備える横編機による、編成方法の第１実施形態の初期過程を示す図である。
【図４】（Ａ）〜（Ｅ）は、第１タイプの編針を支持する針床を備える横編機による、編成方法の第１実施形態の後続過程を示す図である。
【図５】（Ａ）〜（Ｉ）は、第２タイプの編針を支持する針床を備える横編機による、編成方法の第２実施形態の初期過程を示す図である。
【図６】（Ａ）〜（Ｅ）は、第２タイプの編針を支持する針床を備える横編機による、編成方法の第２実施形態の後続過程を示す図である。
【図７】（Ａ）〜（Ｅ）は、第２タイプの編針を支持する針床を備える横編機による、編成方法の第３実施形態の後続過程を示す図である。
【図８】（Ａ）〜（Ｅ）は、それぞれ第１タイプの編針を支持する２つの針床を備える横編機による、編成方法の第４実施形態の初期過程を示す図である。
【図９】（Ａ）〜（Ｅ）は、それぞれ第１タイプの編針を支持する２つの針床を備える横編機による、編成方法の第４実施形態の後続過程を示す図である。
【図１０】（Ａ）〜（Ｅ）は、それぞれ第２タイプの編針を支持する２つの針床を備える横編機による、編成方法の第５実施形態の後続過程を示す図である。
【図１１】（Ａ）〜（Ｆ）は、それぞれ第２タイプの編針を支持する２つの針床を備える横編機による、編成方法の第６実施形態の初期過程を示す図である。
【図１２】（Ａ）〜（Ｄ）は、それぞれ第２タイプの編針を支持する２つの針床を備える横編機による、編成方法の第６実施形態の後続過程を示す図である。
【図１３】（Ａ）〜（Ｅ）は、それぞれ第２タイプの編針を支持する２つの針床を備える横編機による、編成方法の第７実施形態の後続過程を示す図である。
【図１４Ａ】（Ａ）〜（Ｇ）は、それぞれ第２タイプの編針を支持する２つの針床を備える横編機による、編成方法の第８実施形態の初期過程を示す図である。
【図１４Ｂ】（Ｈ）〜（Ｊ）は、それぞれ第２タイプの編針を支持する２つの針床を備える横編機による、編成方法の第８実施形態の初期過程を示す図である。
【発明を実施するための形態】
【００１５】
図１は、前方針床２及び後方針床３からなる２つの針床を備える横編機１の部分側面図である。各針床は、その上面において、編針４，４’をそれぞれ支持している。各編針は、その長手軸心が、横編機の針床に垂直な平面内に含まれている。編針は、図１に示すようなべら針（ラッチニードル、第１タイプ）であってもよいし、他の種類の編針、例えば、複合針（コンパウンドニードル、第２タイプ）などが使用されてもよい。本発明における複合針とは、ロッカー（スライダー）を具備した編針のことを意味する。当業者にとって周知であるが、この場合の編針およびロッカーは、横編機の針床に対して運動可能であり、少なくとも１つの駆動装置によって作動される。
【００１６】
図示のように、針床の下方、すなわち、編針の下方には、複数のストレージ要素５，５’が配置されている。図１を参照すれば分かるように、本発明において「下方」という用語は、横編機を側方からみた場合に、ストレージ要素５，５’が針床の下に位置することを意味する。当然ながら、各針床の下方に配置されるストレージ要素の数は、各針床によって支持される編針の数と等しいかまたは多い。すなわち、各編針には、少なくとも１つのストレージ要素が対応している。各ストレージ要素５，５’は、保持装置６によって保持されており、かつ、ストレージ要素を駆動する装置（図示せず）により、針床に対して運動可能なように作動される。
【００１７】
図１には、２つの針床を備える場合の横編機が示されているが、以下で説明する編成方法は、１つ以上の針床を備えるあらゆる横編機に適用可能である。一例として、単一の針床を備える横編機で同様の構成を実現したい場合には、例えば図３（Ａ）〜（Ｅ）に示すように、図１の左側または右側の部分の１つの場合を考えればよい。３つ以上の針床を備える横編機で同様の構成を実現したい場合には、図１の左側もしくは右側の部分または両方の部分を追加すればよい。
【００１８】
図２は、本発明にかかる編成方法を実行する際に使用されるストレージ要素５の部分詳細斜視図である。ストレージ要素は、編目のストレージを可能にする切欠部（ノッチ）２１を有する。後述するように、このストレージ要素は、単一の針床を備える横編機の場合、２つの針床を備える横編機の場合、または３つ以上の針床を備える横編機の場合に適用される。それぞれの場合でストレージ要素５は、編針に支持された編目に向かうことが可能であるように、編目を編針に供給可能であるように、ロッカーに支持された編目に向かうことが可能であるように、そして、編目をロッカーに供給可能であるように、針床に対して運動可能に構成されている。複数の針床を備える横編機の場合、各ストレージ要素は、別のストレージ要素に支持された編目に向かうことが可能であるように、さらに、編目を別のストレージ要素に供給可能であるように構成され得る。これらの各種態様については、本発明にかかる編成方法の様々な実施形態に基づいて後で詳述する。ストレージ要素５は、その先端２２がフォーク状構造をしている。これにより、後述するように、編針、別のストレージ要素またはロッカーから編目を移したり、編針、別のストレージ要素またはロッカーに対して編目を移したりすることが可能になる。
【００１９】
また、ストレージ要素と編針との交差やストレージ要素と別のストレージ要素との交差について後述するが、そのような交差も、ストレージ要素５の先端２２のフォーク状構造によって可能となっている。
【００２０】
以下で説明する編成方法の各種実施形態では、単一の針床を備える横編機の場合、２つの針床を備える横編機の場合、または３つ以上の針床を備える横編機の場合であっても、編針の長手軸心が同一平面内に存在する構成要素間、具体的には、針床に垂直な同一平面内に互いの長手軸心が位置する編針、ストレージ要素のような構成要素間でのみ、編目の目移しが行われる。
【００２１】
図３（Ａ）〜（Ｅ）は、べら針（第１タイプ）を支持する単一の針床を備える横編機による、編成方法の第１実施形態の初期過程を示す図である。具体的に述べると、図３（Ａ）〜（Ｅ）には、編針４に支持された編目をストレージ要素５へ移すステップ（第一のステップ）が示されている。これにより、編針４が自由になるので、この編針４に別の編成作業を行わせることができる。分かり易いように、図３（Ａ）〜（Ｅ）には、１つの編針で行われるステップしか示していないが、当然ながら、このステップは、針床によって支持された全ての編針で行われてもよいし、あるいは、任意の編針で行われるものであってもよい。
【００２２】
まず、編目は、編針４に保管されている（図３（Ａ））。次に、編針４が前進し、その後部で編目が支持される（図３（Ｂ））。ストレージ要素５が前進して（図３（Ｃ））編針４と交差する。編針４が後退することにより、編目がストレージ要素５に移される（図３（Ｄ））。次に、ストレージ要素５が後退することにより、ストレージ要素５に編目が保管される（図３（Ｅ））。これにより、編針４が自由になるので、この編針４に別の編成作業を行わせることができる。
【００２３】
図４（Ａ）〜（Ｅ）は、べら針を支持する単一の針床を備える横編機による、編成方法の第１実施形態の後続過程を示す図である。具体的に述べると、図４（Ａ）〜（Ｅ）には、（例えば図３（Ａ）〜（Ｅ）で説明したステップによって）ストレージ要素に保管された編目を、編針に移すステップ（第二のステップ）が示されている。
【００２４】
まず、編目は、針床の下方に保持されたストレージ要素５に保管されている（図４（Ａ））。次に、ストレージ要素５が前進して（図４（Ｂ））編針と交差する（図４（Ｃ））。次に、ストレージ要素から編針へ編目が移された（図４（Ｄ））後、編針が後退しながら編目を支持する。最終的に、編目は編針のフック（前部）に支持される（図４（Ｅ））。
【００２５】
図５（Ａ）〜（Ｉ）は、複合針（第２タイプ）を支持する単一の針床を備える横編機による、編成方法の第２実施形態の初期過程を示す図である。具体的に述べると、図５（Ａ）〜（Ｉ）には、複合針に支持された編目をストレージ要素へ移すステップが示されている。
【００２６】
まず、編目は、編針４に保管されている（図５（Ａ））。次に、この編針およびロッカー５１が前進する（図５（Ｂ））。その後、編針が後退することにより、ロッカー５１に編目が支持される（図５（Ｃ））。次に、ストレージ要素５が前進し（図５（Ｄ））、ストレージ要素５がロッカー５１と交差する（図５（Ｅ）および（Ｆ））。その後、ロッカー５１からストレージ要素５へ編目が移される（図５（Ｇ））。次に、ロッカー５１が後退することにより、編目がストレージ要素５に支持される（図５（Ｈ））。その後、ストレージ要素５が後退し、ストレージ要素５に編目が保管される（図５（Ｉ））。これにより、編針４およびロッカー５１が自由になるので、これら編針４およびロッカー５１に別の編成作業を行わせることができる。
【００２７】
図６（Ａ）〜（Ｅ）は、複合針を支持する単一の針床を備える横編機による、編成方法の第２実施形態の後続過程を示す図である。具体的に述べると、図６（Ａ）〜（Ｅ）には、（例えば図５（Ａ）〜（Ｉ）で説明したステップによって）ストレージ要素に保管された編目を、複合針のベアード（フック）に移すステップが示されている。
【００２８】
まず、編目は、針床の下方に位置するストレージ要素５に保管されている（図６（Ａ））。次に、ストレージ要素５が前進して（図６（Ｂ））編針と交差し、編目がストレージ要素５と編針に支持される（図６（Ｃ））。次に、ストレージ要素５が後退して編針に編目が支持される（図６（Ｄ））。そして編針が後退することにより編針のフックに編目が保管される（図６（Ｅ））。
【００２９】
図７（Ａ）〜（Ｅ）は、複合針を支持する単一の針床を備える横編機による、編成方法の第３実施形態の後続過程を示す図である。具体的に述べると、図７（Ａ）〜（Ｅ）には、（例えば図５（Ａ）〜（Ｉ））で説明したステップによって）ストレージ要素に支持された編目を、複合針へ移すステップが示されている。
【００３０】
まず、編目は、針床の下方に位置するストレージ要素５に保管されている（図７（Ａ））。次に、ストレージ要素５が前進して（図７（Ｂ））編針４と部分的に重なり合うロッカー５１と交差する（図７（Ｃ））。次に、編目がストレージ要素５とロッカー５１に支持された（図７（Ｄ））後、ロッカー５１は後退することにより、編目がロッカー５１に保管される（図７（Ｅ））。ここから、その編目を編針４に移すことも可能であるし、ストレージ要素５に再び移すことも可能である。
【００３１】
図８（Ａ）〜（Ｅ）は、それぞれ複数のべら針を支持する２つの針床を備える横編機による、編成方法の第４実施形態の初期過程を示す図である。前述したと同じく分かり易いように、図８（Ａ）〜（Ｅ）には、１つの編針で行われるステップしか示していないが、当然ながら、このステップは、各針床によって支持された全ての編針で行われてもよいし、あるいは、任意の編針で行われるものであってもよい。具体的に述べると、図８（Ａ）〜（Ｅ）には、針床によって支持された編針から、別の針床の下方に配置されたストレージ要素へ、編目を移すステップが示されている。このステップでは常に、そのストレージ要素の長手軸心とその編針の長手軸心とが、横編機の針床に垂直な同一平面内に含まれる。図８（Ａ）〜（Ｅ）に示すような２つの針床を備える横編機の場合、後方針床の下に配置されたストレージ要素が、前方針床によって支持された編針から編目を保管することにより、前方針床側の編針が自由になる。これにより、前方針床側の編針に別の編成作業を行わせることができる。なお、単一の針床を備える横編機の場合の前述した実施形態も、複数の針床を備える横編機で実施することができる。
【００３２】
まず、編目は、前方針床２によって支持された編針４に支持されている（図８（Ａ））。次に、この編針が前進する（図８（Ｂ））。そして、後方針床３の下方に保持されたストレージ要素５’も前進して（図８（Ｃ）および（Ｄ））、編針４と交差する。編目が編針４からストレージ要素５’へ移されることにより、最終的に編目がストレージ要素５’に残り、そこで保管される（図８（Ｅ））。これにより、編針４が自由になるので、必要に応じてこの編針４に別の編成作業を行わせることが可能になる。
【００３３】
図９（Ａ）〜（Ｅ）は、それぞれ複数のべら針を支持する２つの針床を備える横編機による、編成方法の第４実施形態の後続過程を示す図である。具体的に述べると、図９（Ａ）〜（Ｅ）には、（例えば図８（Ａ）〜（Ｅ）で説明したステップによって）ストレージ要素に保管された編目を、別の針床によって支持された編針へ移すステップ（第三のステップ）が示されている。
【００３４】
まず、編目は、後方針床３の下方に位置するストレージ要素５’に保管されている（図９（Ａ））。次に、ストレージ要素５’が前進し（図９（Ｂ））、前方針床２によって支持された編針４と交差する（図９（Ｃ））。そして、編目がストレージ要素５’と編針４に支持される（図９（Ｄ））。そして、後方針床３の下方に保持されたストレージ要素５’から前方針床２によって支持された編針４へ編目が移される。編針が後退することにより編針のフックに編目が支持される（図９（Ｅ））。
【００３５】
一変形例として、上記の構成の代わりに図４（Ａ）〜（Ｅ）で説明した方法のステップを実行することにより、編目を編針４’に移してもよい。その場合、ストレージ要素から第２の編針へ、編目の目移しが行われることになる。他の変形例として、３つ以上の針床を備える横編機の場合には、図９（Ａ）〜（Ｅ）で説明したステップを実行することにより、編目を前方針床２や後方針床３以外の針床によって支持された別の編針に移すことも可能である。つまり、ストレージ要素５’からの編目の目移しは、編針４に対しても、編針４’に対しても、別の編針（図示せず）に対しても行うことができる。
【００３６】
図１０（Ａ）〜（Ｅ）は、それぞれ２つの針床を備える横編機による、編成方法の第５実施形態の後続過程を示す図である。具体的に述べると、図１０（Ａ）〜（Ｅ）には、（例えば図８Ａ（Ａ）〜（Ｅ）で説明したステップによって）ストレージ要素に支持された編目を、別の針床の下に保持された別のストレージ要素へ移すステップ（例えば組合せステップのうち第１ステップ）が示されている。より具体的に述べると、図１０（Ａ）〜（Ｅ）には、２つの針床を備える横編機の場合に、後方針床３の下方に位置するストレージ要素５’から、前方針床２の下に位置するストレージ要素５へ編目を移す様子が示されている。当然ながら、３つ以上の針床を備える横編機の場合には、どの針床であるかに関係なく２つの針床の下方に保持された２つのストレージ要素間で、編目の目移しを行うことができる。一般化して言うと、第１の針床の下方に位置する第１のストレージ要素から、第２の針床の下方に位置する第２のストレージ要素へ編目を移すことができる。
【００３７】
まず、編目は、後方針床３のストレージ要素５’に保管されている（図１０（Ａ））。編目を支えるストレージ要素５’が前進し（図１０（Ｂ））、同じく前進した対向するストレージ要素５（この例では、前方針床２の下に保持されたストレージ要素）と交差する（図１０（Ｃ））。次に、編目がストレージ要素５’からストレージ要素５へ移されて（図１０（Ｄ））、ストレージ要素５が後退し、最終的に、ストレージ要素５にその編目が保管される（図１０（Ｅ））。これら２つのストレージ要素５，５’間の編目の目移しは、当該２つのストレージ要素の先端のフォーク状構造によって容易に行われる。事実、ストレージ要素同士が交差するとき、ストレージ要素５は、ストレージ要素５’の先端のフォークの歯と歯の間に実際に収容されるように構成されている。ストレージ要素５’が後退することにより、当該ストレージ要素５’の先端のフォークの歯も後退する。これにより、編目がストレージ要素５へ移される。
【００３８】
図１１（Ａ）〜（Ｆ）は、それぞれ複合針を支持する２つの針床を備える横編機による、編成方法の第６実施形態の初期過程を示す図である。具体的に述べると、図１１（Ａ）〜（Ｆ）には、針床によって支持された複合針に支持された編目を、別の針床の下に配置されたストレージ要素へ移すステップが示されている。
【００３９】
まず、編目は、前方針床２によって支持された編針４に保管されている（図１１（Ａ））。次に、この編針およびロッカー５１が前進する（図１１（Ｂ））。そして、その編針が後退することにより、編目がロッカー５１に支持される（図１１（Ｃ））。後方針床３の下に保持されたストレージ要素５’（同図の右側のストレージ要素）が、ロッカー５１に支持された編目に交差するように前進する（図１１（Ｄ））。ロッカー５１が後退することにより、編目は後方針床３のストレージ要素５’に支持された状態になる（図１１（Ｅ））。その後、ストレージ要素５’が後退することにより、編目が後方針床３の下に保管される（図１１（Ｆ））。図１１（Ａ）〜（Ｆ）には２つの針床を備える横編機の場合しか示されていないが、当業者であれば、同図を参照することにより、３つ以上の針床を備える横編機の場合においても、針床の位置に関係なく第１の針床の編針と第２の針床の下方に保持されたストレージ要素との間で、上記と同じステップを行えることを理解できる。
【００４０】
図１２（Ａ）〜（Ｄ）は、それぞれ複合針を支持する２つの針床を備える横編機による、編成方法の第６実施形態の後続過程を示す図である。具体的に述べると、図１２（Ａ）〜（Ｄ）には、（例えば図１１（Ａ）〜（Ｆ）で説明したステップによって）ストレージ要素に保管された編目を、複合針のロッカーへ移すステップが示されている。
【００４１】
まず、編目は、後方針床３の下方に保持されたストレージ要素５’に保管されている（図１２（Ａ））。次に、ストレージ要素５’が前進し（図１２（Ｂ））、前方針床２によって支持された編針のロッカー５１と交差し（図１２（Ｃ））、ストレージ要素５’が後退して編目がロッカー５１に支持される（図１２（Ｄ））。このようにして、後方針床３の下方に配置されたストレージ要素５’から、前方針床２によって支持された編針４のロッカー５１へ編目が移される。
【００４２】
ここから、様々なステップを行うことができる。まず、編目を編針４へ移せることは明白である。他にも、編目を別のストレージ要素へ移すことも可能である。また、編目を編針４’または３つ以上の針床を備える横編機の場合には、別の編針に直接移すことも可能である。他にも、複合針の場合には、編目を編針４’のロッカーまたは別の編針のロッカーに移すことも可能である。あるいは、編目をロッカーに保管したままにすることもできる。ロッカーは、編目を保持しながら若干後退する。
【００４３】
図１３（Ａ）〜（Ｅ）は、それぞれ複合針を支持する２つの針床を備える横編機による、編成方法の第７実施形態の後続過程を示す図である。具体的に述べると、図１３（Ａ）〜（Ｅ）には、（例えば図１１（Ａ）〜（Ｆ）で説明したステップによって）ストレージ要素に保管された編目を、ロッカーを介することなく複合針へ移すステップ（例えば組合せステップのうち第２ステップ）が示されている。
【００４４】
まず、編目は、後方針床３の下方に保持されたストレージ要素５’に保管されている（図１３（Ａ））。次に、ストレージ要素５’が前進し（図１３（Ｂ））、前方針床２によって支持された編針と交差して（図１３（Ｃ））、編目が編針４に支持される（図１３（Ｄ））。編針４が後退して編目が編針４に保管される（図１３（Ｅ））。このようにして、後方針床３の下方に配置されたストレージ要素５’から、前方針床２によって支持された編針４へ編目が移される。
【００４５】
図１４Ａ（Ａ）〜（Ｇ）および図１４Ｂ（Ｈ）〜（Ｊ）は、それぞれ複合針を支持する２つの針床を備える横編機による、編成方法の第８実施形態の初期過程を示す図である。具体的に述べると、図１４Ａ（Ａ）〜（Ｇ）および図１４Ｂ（Ｈ）〜（Ｊ）には、針床によって支持された複合針に支持された編目を、同じ針床の下に位置するストレージ要素へ移すステップが示されている。
【００４６】
まず、編目は、後方針床３によって支持された編針４’に支持されている（図１４Ａ（Ａ））。次に、この編針およびロッカー５１’が前進する（図１４Ａ（Ｂ））。そして、その編針４’が後退することにより、編目がロッカー５１’に支持される（図１４Ａ（Ｃ））。前方針床２のロッカー５１が前進する（図１４Ａ（Ｄ））。ロッカー５１’が前進し（図１４Ａ（Ｅ））、ロッカー５１と交差する。次に、編目がロッカー５１’からロッカー５１に移されて（図１４Ａ（Ｆ））、編目がロッカー５１に支持される（図１４Ａ（Ｇ））。後方針床３の下に位置するストレージ要素５’が前進し、ロッカー５１と交差する（図１４Ｂ（Ｈ））。次に、編目がストレージ要素５’に移される（図１４Ｂ（Ｉ））。ストレージ要素５’が後退することにより、編目がストレージ要素５’に保管される（図１４Ｂ（Ｊ））。この実施形態により、編針から当該編針と同じ針床の下に位置するストレージ要素に対して編目の目移しを行うことができる。当然ながら、上記のステップは、編目が編針４に支持されている状態から開始した場合にも、同様に行うことができる。
【００４７】
分かり易くするために、編成方法の前述した各種実施形態は、１つ以上の針床を備える横編機の場合の実施形態であった。しかし、前述したように、同じ編成方法を、３つ以上の針床を備える横編機、特に、３つ、４つまたは５つの針床を備える横編機で実施できることは明白である。さらなる実施形態も可能であり、保護範囲は前述した実施形態に限定されず、各実施形態の組合せ（組合せステップ）を含む、特許請求の範囲に包含されるあらゆる実施形態に及ぶ。当業者であれば、１つ以上の追加の針床を横編機に設け、さらに、当該針床の下方にストレージ要素を配置した場合、編目の目移しは前述した前方針床と後方針床との間に限定されず、各針床の位置に関係なく任意の針床から別の針床に対して行えることを理解できる。例えば、２つの針床を備える横編機に関して主に説明した編成方法のあらゆる前記実施形態を、３つ以上の針床を備える横編機の編成方法に転用することが可能である。当業者であれば、前述した説明における「前方針床」を「第１の針床」に、そして、「後方針床」を「第２の針床」に置き換えると共に、２つの針床を備える横編機に関する上記の教示内容を３つ以上の針床を備える横編機の場合に転用する際に必要な構成要素については、添付の図面に示された構成要素を体系的に追加すればよいことを理解できる。
【００４８】
１つ以上の針床を備える横編機に適用可能な、本発明にかかる編成方法の他の実施形態として、編成方法の特定の段階で編目がストレージ要素に保管されている状態で、ストレージ要素を保持する装置を、横編機の少なくとも１つの針床と平行な方向に並進移動させた後、このようにして移動したストレージ要素から、前記並進移動前にそのストレージ要素の長手軸心が含まれていた平面と平行な平面内に長手軸心が含まれる編針へ、編目を移すことも可能である。このような並進移動は「ラッキング（振り）」とも称され、当業者にとって周知である。
【図１】
0006278899.tif 000002
【図２】
0006278899.tif 000003
【図３】
0006278899.tif 000004
【図４】
0006278899.tif 000005
【図５】
0006278899.tif 000006
【図６】
0006278899.tif 000007
【図７】
0006278899.tif 000008
【図８】
0006278899.tif 000009
【図９】
0006278899.tif 000010
【図１０】
0006278899.tif 000011
【図１１】
0006278899.tif 000012
【図１２】
0006278899.tif 000013
【図１３】
0006278899.tif 000014
【図１４Ａ】
0006278899.tif 000015
【図１４Ｂ】
0006278899.tif 000016